(57)【要約】【課題】構造が簡単であって、濡れた収納物を迅速に乾かすことできる収納装置を提供することを課題とする。【解決手段】収納装置１は、湿った収納物が収納される収納室２４と、収納室２４の外側に配置され、収納物からの湿分を導入できるように収納室２４と連通し、湿分により熱を発する吸湿発熱層２１と、吸湿発熱層２１の外側に配置され、吸湿発熱層２１からの熱のうち、収納室２４以外の方向に発散する熱成分を反射する反射層２２と、を備えてなることを特徴とする。【選択図】  図２
2005008175.tif 000002
【特許請求の範囲】
【請求項１】
湿った収納物が収納される収納室と、
該収納室の外側に配置され、該収納物からの湿分を導入できるように該収納室と連通し、該湿分により熱を発する吸湿発熱層と、
該吸湿発熱層の外側に配置され、該吸湿発熱層からの該熱のうち、該収納室以外の方向に発散する熱成分を反射する反射層と、を備えてなる収納装置。
【請求項２】
前記収納室と前記吸湿発熱層との間には、前記湿分を通す透湿孔を持つ表皮層が介在している請求項１に記載の収納装置。
【請求項３】
前記反射層は、アルミ蒸着層である請求項１に記載の収納装置。
【発明の詳細な説明】
【０００１】
【発明の属する技術分野】
本発明は、例えば傘や衣類など湿気を持つ物を収納するための収納装置に関する。
【０００２】
【従来の技術】
例えば、特許文献１には、内部に吸水性繊維が取り付けられた傘カバーが紹介されている。この傘カバーの中に雨に濡れた傘を収納すると、傘の水分が吸水性繊維により吸収される。このため、傘の水分を減少させることができる。
【０００３】
また、特許文献２には、リヤヒータからの温風により傘を乾燥させる車両用傘乾燥装置が紹介されている。この車両用傘乾燥装置によると、傘を短時間で乾かすことができる。
【０００４】
【特許文献１】
特開平７−８３１３号公報
【特許文献２】
実開平５−２８７５３号公報
【特許文献３】
特開平１１−１２８３３号公報
【０００５】
【発明が解決しようとする課題】
特許文献１に記載の傘カバーの場合、傘の水分をある程度減少させることはできる。しかし、短時間で傘を完全に乾かすのは難しい。この点、特許文献２に記載の車両用傘乾燥装置によると、短時間で傘を完全に乾燥させることができる。しかし、リヤヒータからの熱風を乾燥に使用しているため、構造が複雑である。
【０００６】
ところで、特許文献３には、吸放湿発熱性保温品が紹介されている。この吸放湿発熱性保温品は、スキーウェアなどに利用されている。吸放湿発熱性保温品は、人体に近い方から、裏地と吸放湿発熱性繊維と表地とを備えている。吸放湿発熱性繊維には、裏地を介して人体から、汗などによる湿分が供給される。この湿分により、吸放湿発熱性繊維は発熱する。そして、人体を保温する。
【０００７】
また、吸放湿発熱性繊維は、透湿性に優れている。このため、人体からの湿分は、裏地→吸放湿発熱性繊維→表地を介して、外部に放出される。したがって、汗などによる肌のべたつきを抑制することができる。
【０００８】
特許文献３に記載の吸放湿発熱性保温品の内部に、仮に傘などの濡れた収納物を入れると、収納物の持つ水分により、吸放湿発熱性繊維が発熱する。このため、収納物が加熱される。しかし、吸放湿発熱性繊維が発する熱は、表地を介して周囲に発散してしまう。また、人体がそれ自身発熱しているのと比較して、傘などの収納物はそれ自体発熱しない。したがって、吸放湿発熱性繊維の発熱により収納物を加熱することはできるものの、収納物を乾燥させるには熱量が足りない。
【０００９】
本発明の収納装置は上記課題に鑑みて完成されたものである。したがって、本発明は、構造が簡単であって、濡れた収納物を迅速に乾かすことできる収納装置を提供することを目的とする。
【００１０】
【課題を解決するための手段】
上記課題を解決するため、本発明の収納装置は、湿った収納物が収納される収納室と、該収納室の外側に配置され、該収納物からの湿分を導入できるように該収納室と連通し、該湿分により熱を発する吸湿発熱層と、該吸湿発熱層の外側に配置され、該吸湿発熱層からの該熱のうち、該収納室以外の方向に発散する熱成分を反射する反射層と、を備えてなることを特徴とする。
【００１１】
本発明の収納装置の吸湿発熱層の外側には、反射層が配置されている。反射層は、吸湿発熱層が発する熱のうち、収納室以外の方向に発散する熱成分を反射する。本発明の収納装置によると、発散による熱の損失を低減することができる。このため、湿った収納物を迅速に乾かすことができる。
【００１２】
特に、車室内においては、濡れた収納物（例えば傘）の置き場所に困る場合が多く、収納物により搭乗者の衣類などが濡れてしまう場合もある。この点、本発明の収納装置によると、収納物を迅速に乾かすことができる。このように、本発明の収納装置は車両搭載用として利用するのに好適である。
【００１３】
好ましくは、前記収納室と前記吸湿発熱層との間には、前記湿分を通す透湿孔を持つ表皮層が介在している構成とする方がよい。表皮層を配置すると、吸湿発熱層自体の形状保持性が低い場合であっても、吸湿発熱層の型崩れを抑制することができる。また、好ましくは、前記反射層は、アルミ蒸着層である構成とする方がよい。本構成によると、比較的簡単に、耐久性の高い反射層を形成することができる。
【００１４】
【発明の実施の形態】
以下、本発明の収納装置の実施の形態について説明する。
【００１５】
（１）第一実施形態
本実施形態は本発明の収納装置を車両搭載用の傘収納ケースとして具現化したものである。まず、本実施形態の傘収納ケースの構成について説明する。図１に、本実施形態の傘収納ケースの斜視図を示す。図に示すように、傘収納ケース１は、ケース本体２と取っ手３とを備えている。ケース本体２は、細長い有底円筒状を呈している。ケース本体２の内部には、傘４が収納されている。取っ手３は、樹脂製であってケース本体２の外周面に固定されている。
【００１６】
図２に、本実施形態の傘収納ケースの開口付近の軸方向拡大断面図を示す。図に示すように、ケース本体２は、吸湿発熱層２１とアルミ蒸着層２２と表皮層２３とが径方向に積層されることにより形成されている。
【００１７】
吸湿発熱層２１は、アクリレート系繊維（商品名−モイスファイン（登録商標）、東洋紡績株式会社製）と、ＰＥＴ（ポリエチレンテレフタレート）繊維とが混紡されることにより形成されている。アクリレート系繊維は、親水基が高密度に強架橋することにより形成された化学変成体を備えている。この化学変成体によりアクリレート系繊維は、湿分を吸収する。そして、水素結合やファンデルワールス力などに起因した熱を発生する。
【００１８】
表皮層２３は、ＰＥＴ織布製であって吸湿発熱層２１全体を覆っている。吸湿発熱層２１の内周面を覆う表皮層２３の内周側には、収納室２４が区画されている。収納室２４は開口２０を介して外部と連通している。また、吸湿発熱層２１の内周面を覆う表皮層２３には、透湿孔２３０が多数穿設されている。透湿孔２３０は、収納室２４と吸湿発熱層２１とを連通している。一方、吸湿発熱層２１の外周面を覆う表皮層２３の内面には、アルミ蒸着層２２が形成されている。
【００１９】
次に、本実施形態の傘収納ケースの動きについて説明する。傘４の湿分は、透湿孔２３０を介して、吸湿発熱層２１に供給される。この湿分により、吸湿発熱層２１は熱を発生する。吸湿発熱層２１が発生した熱の一部は、内周側（収納室２４方向）ではなく、外周側に発散しようとする。この外周側に発散しようとする熱成分は、アルミ蒸着層２２により反射される。したがって、吸湿発熱層２１が発生した熱のほぼ全量が、収納室２４に供給される。
【００２０】
次に、本実施形態の傘収納ケースの効果について説明する。本実施形態の傘収納ケース１にはアルミ蒸着層２２が配置されている。このため、吸湿発熱層２１が発生した熱を有効に利用することができる。したがって、傘４を迅速に乾燥させることができる。
【００２１】
また、吸湿発熱層２１は表皮層２３により覆われている。このため、脆く崩れやすい吸湿発熱層２１を、良好に保持することができる。また、反射層としてアルミ蒸着層２２が配置されている。このため、比較的簡単に、耐久性の高い反射層を配置することができる。また、本実施形態の傘収納ケース１は、前出特許文献２の車両用傘乾燥装置と比較して、構造が簡単でコンパクトである。このため、車室内の占有スペースが小さくて済む。
【００２２】
また、本実施形態の傘収納ケース１によると、リヤヒータなど車両側からの熱源も不要である。また、本実施形態の傘収納ケース１には、取っ手３が付いている。このため、普段は車両用、行楽時にはアウトドア用として兼用することもでき便利である。
【００２３】
（２）第二実施形態
本実施形態と第一実施形態との相違点は、ケース本体が胴部開閉式になっている点である。また、取っ手が配置されていない点である。したがって、ここでは相違点についてのみ説明する。
【００２４】
図３に、本実施形態の傘収納ケースの斜視図を示す。なお、図１と対応する部位については同じ符号で示す。ケース本体２は、半円筒状を呈している。表皮２３は樹脂製である。表皮２３には、吸湿発熱層（図略）と収納室２４とを連通する透湿孔（図略）が多数穿設されている。ケース本体２は、開閉式の蓋部２５を備えている。このため、収納室２４ほぼ全長に亘る広い開口２０が形成されている。
【００２５】
本実施形態の傘収納ケース１は、第一実施形態の傘収納ケースと同様の効果を有する。また、本実施形態の傘収納ケース１の開口２０は比較的広い。このため、傘を出し入れしやすい。また、傘以外の、例えば濡れた衣類や靴などの乾燥にも利用しやすい。また、蓋部２５を閉めることにより、収納室２４は、外部から完全に遮断される。このため、傘などの収納物をさらに迅速に乾かすことができる。また、蓋部２５を敢えて開放し、蓋部２５および収納室２４内に搭乗者が足先を載せることにより、暖房フットレストとして利用することもできる。
【００２６】
（３）その他
以上、本発明の収納装置の実施の形態について説明した。しかしながら、実施の形態は上記形態に特に限定されるものではない。当業者が行いうる種々の変形的形態、改良的形態で実施することも可能である。
【００２７】
例えば、上記実施形態においては、吸湿発熱層２１として、アクリレート系繊維とＰＥＴ繊維との混紡繊維を使用した。しかしながら、この混紡繊維の他、例えばシリカゲルなどの乾燥剤微粉末を各種繊維に混合した繊維などにより吸湿発熱層２１を形成してもよい。
【００２８】
また、上記実施形態においては、表皮層２３に多数の透湿孔２３０を穿設した。透湿孔２３０の配置数や配置場所や孔径などは特に限定しない。透湿孔２３０の配置数などを調整することにより、傘４から吸湿発熱層２１に供給される湿分の量を調整することができる。このため、吸湿発熱層２１の発熱速度つまり傘４の乾燥速度を自在に調整することができる。
【００２９】
【発明の効果】
本発明によると、構造が簡単であって、濡れた収納物を迅速に乾かすことできる収納装置を提供することができる。
【図面の簡単な説明】
【図１】第一実施形態の傘収納ケースの斜視図である。
【図２】第一実施形態の傘収納ケースの開口付近の軸方向拡大断面図である。
【図３】第二実施形態の傘収納ケースの斜視図である。
【符号の説明】
１：傘収納ケース（収納装置）、２：ケース本体、２０：開口、２１：吸湿発熱層、２２：アルミ蒸着層、２３：表皮層、２３０：透湿孔、２４：収納室、２５：蓋部、３：取っ手、４：傘（収納物）。
【図１】
2005008175.tif 000003
【図２】
2005008175.tif 000004
【図３】
2005008175.tif 000005